(57)【要約】【課題】本発明は一種光出射輝度を増させることができる反射偏光片を提供し、またそれを用いたバックライトモジュール及び液晶表示装置を提供することを目的とする。【解決手段】本発明の反射偏光片は、光入射面及び前記光入射面と相対した光出射面を備え、前記光出射面は、複数の集光構成を備える。【選択図】図４
2007164189.tif 000002
【特許請求の範囲】
【請求項１】
光入射面及び前記光入射面と相対した光出射面を備える反射偏光片において、前記光出射面は、複数の集光構成を備えることを特徴とする反射偏光片。
【請求項２】
前記集光構成は互いに連続整列し、且つ三角形の断面を持っていることを特徴とする請求項１に記載の反射偏光片。
【請求項３】
前記集光構成の三角形断面の頂角は９０度又は１２０度であることを特徴とする請求項２に記載の反射偏光片。
【請求項４】
前記集光構成の隣接した頂点の間のピッチは略５０μｍであることを特徴とする請求項２に記載の反射偏光片。
【請求項５】
前記光入射面と光出射面との間の距離は略１３２μｍであることを特徴とする請求項１に記載の反射偏光片。
【請求項６】
請求項１〜５のいずれの一項に記載の反射偏光片と、前記反射偏光片の背面に順次に配置された拡散シートと、導光板と、反射片と、前記導光板の一側に配置された光源と、を有することを特徴とするバックライトモジュール。
【請求項７】
請求項６に記載のバックライトモジュールと、前記バックライトモジュールの背面に配置された液晶表示面板と、を有することを特徴とする液晶表示装置。
【発明の詳細な説明】
【技術分野】
【０００１】
本発明は、反射偏光片、それを用いたバックライトモジュール及び液晶表示装置に関するものである。
【背景技術】
【０００２】
一般的には、液晶表示装置に内蔵されている液晶パネル自体は発光機能を有しておらず、このため、液晶表示装置は、表示機能を果たす面光源装置、即ち、バックライトモジュールを用いて照明する必要がある。前記バックライトモジュールは、前記液晶パネルへ輝度が高く且つ分布が均一な面光源を提供するために用いられる。
【０００３】
図１を参照すると、従来の一種のバックライトモジュールの構成を示す図である。バックライトモジュール７は、順次に積み重ねられた反射偏光片（ｄｕａｌ  ｂｒｉｇｈｔｎｅｓｓ  ｅｎｈａｎｃｅｍｅｎｔ  ｆｉｌｍ，ＤＢＥＦ）７０、明るさ強化フィルム（ｂｒｉｇｈｔｎｅｓｓ  ｅｎｈａｎｃｅｍｅｎｔ  ｆｉｌｍ，ＢＥＦ）７２、拡散シート７３、導光板７４及び反射片（ｒｅｆｌｅｃｔｉｖｅ  ｆｉｌｍ）７６を備える。前記バックライトモジュール７は、さらに光源７８を含む。
【０００４】
前記導光板７４は、光入射面７４２、前記光入射面７４２と隣接した光出射面７４４、及び前記光出射面７４４と相対した底面７４６を備える。前記光源７８は前記導光板７４の光入射面７４２に隣接配置されており、前記反射片７６は前記導光板７４の底面７４６に隣接配置されており、前記拡散シート７３、明るさ強化フィルム７２及び反射偏光片７０は前記導光板７４の光出射面７４４のうえに順次に配置されている。
【０００５】
図２を参照すると、図１に示すバックライトモジュール７の反射偏光片７０の局部の断面図である。前記反射偏光片７０は、多層材質を交互に積み重ねて形成された片状薄膜である。前記反射偏光片７０は光入射面７０２、及び前記光入射面７０２と相対した光出射面７０４を備えて、前記光入射面７０２は平面である。前記反射偏光片７０は、従来の偏光片の偏光効果を持っていると同時に、反射片７６及び拡散シート７３の組み合わせにより前記偏光片の透過軸に沿わない偏光成分の光を有効に反射して透過軸に沿った偏光成分の光に転化し、これによりバックライトモジュール７の光利用率を有効に高めることができる。しかしながら、前記反射偏光片７０がバックライトモジュール７に用いられる時に、前記反射偏光片７０はバックライトモジュール７の光出射輝度を高くしないので、前記明るさ強化フィルム７２を使用する必要がある。前記明るさ強化フィルム７２は、光の出射角度を引き締めることができる。しかし、前記明るさ強化フィルム７２のコストが高いので、この明るさ強化フィルム７２を用いたバックライトモジュール１のコストが高くなり、また多層光学シートは、バックライトモジュール７の厚さを増やす。
【発明の開示】
【発明が解決しようとする課題】
【０００６】
本発明の第一目的は、前記のこうした課題を解決し、光出射輝度を高くする反射偏光片を提供する。
【０００７】
本発明の第二目的は、コストが低く、厚さが小さいバックライトモジュールを提供する。
【０００８】
本発明の第三目的は、コストが低く、厚さが小さい液晶表示装置を提供する。
【課題を解決するための手段】
【０００９】
前記第一目的を達成するため、本発明に係る反射偏光片は、光入射面及び前記光入射面と相対した光出射面を備え、前記光出射面は、複数の集光構成を備える。
【００１０】
前記第二目的を達成するため、本発明に係るバックライトモジュールは、導光板及び反射偏光片を備える。前記導光板は、光出射面を備え、前記反射偏光片は前記導光板の光出射面に隣接配置する。前記反射偏光片は、光入射面及び前記光入射面と相対した光出射面を備え、前記光出射面は、複数の集光構成を備える。
【００１１】
前記第三目的を達成するため、本発明に係る液晶表示装置は、液晶表示面板及び前記液晶表示面板と相対したバックライトモジュールを備える。前記バックライトモジュールは、導光板及び反射偏光片を備える。前記導光板は、光出射面を備え、前記反射偏光片は前記導光板の光出射面に隣接配置する。前記反射偏光片は、光入射面及び前記光入射面と相対した光出射面を備え、前記光出射面は、複数の集光構成を備える。
【発明の効果】
【００１２】
本発明のバックライトモジュール又は液晶表示装置は反射偏光片の光出射面に複数の集光構成を備えており、光出射面の複数の集光構成は、光の出射角度を小さくすることができる。それによって、バックライトモジュールに他の明るさ強化フィルム等を用いらなくても、前記バックライトモジュールの光出射輝度を高くすることができる。また、前記バックライトモジュール又は液晶表示装置のコストが低く、厚さが小さい。
【発明を実施するための最良の形態】
【００１３】
図３を参照すると、本発明の第１の実施形態の液晶表示装置の構成を示す図である。液晶表示装置１は、液晶表示面板１０及び前記液晶表示面板１０と相対したバックライトモジュール２を備える。前記バックライトモジュール２は、順次に積み重ねられ設置された反射偏光片２０、拡散シート２３、導光板２４及び反射片２６を備える。前記導光板２４は、光入射面２４２、前記光入射面２４２と隣接した光出射面２４４、及び前記光出射面２４４と相対した底面２４６を備える。前記バックライトモジュール２は、さらに光源２８を含み、且つ、前記導光板２４の光入射面２４２に隣接配置されており、前記反射片２６は前記導光板２４の底面２４６に相隣配置されており、前記拡散シート２３と反射偏光片２０は前記導光板２４の光出射面２４４のうえに順次に配置されている。
【００１４】
図４を参照すると、図３に示す液晶表示装置１の反射偏光片２０の局部の断面図である。前記反射偏光片２０は、多層材質を交互に積み重ねて形成された片状薄膜であり、それは、光入射面２０２、及び前記光入射面２０２と相対した光出射面２０４を備え、前記光出射面２０４は、複数の集光構成２０６を備える。前記光入射面２０２と光出射面２０４との間の距離Ｗは、略１３２マイクロメートルである。複数の集光構成２０６は、互いに連続して整列する。各集光構成２０６は三角形の断面を持っている。前記集光構成２０６の断面は、直角である頂角αを含む。２つの隣接した集光構成２０６の頂点の間のピッチＤは、略５０マイクロメートルである。前記光入射面２０２は滑らかな透明面である。
【００１５】
反射偏光片２０の材料は、複屈折特性を持つ材料を含む。例えば、交互に積み重ねられた層は、ポリエチレンナフタレート（ｐｏｌｙｅｔｈｙｌｅｎｅ  ｎａｐｈｔｈａｌａｔｅ，ＰＥＮ）および７０−ナフタレート／３０のテレフタル酸塩コポリエステル（７０−ｎａｐｈｔｈａｌａｔｅ／３０−ｔｅｒｅｐｈｔｈａｌａｔｅ  ｃｏｐｏｌｙｅｓｔｅｒ（ｃｏＰＥＮの一種））で製造する。反射偏光片２０は、光の出射角度を小さく、光出射輝度を高くする。
【００１６】
前記液晶表示装置１の反射偏光片２０の光出射面２０４に複数の集光構成２０６を設ける。前記光出射面２０４の複数の集光構成２０６により、光の出射角度を小さくすることができる。それによって、バックライトモジュール２に他の明るさ強化フィルム等を用いらなくても、前記バックライトモジュール２の光出射輝度を高くすることができる。また、前記バックライトモジュール２のコストが低く、厚さが小さい。
【００１７】
図５は、本発明液晶表示装置の第２の実施形態の反射偏光片の一部構成を示す拡大図である。本実施形態の反射偏光片３０は前記第１の実施形態の反射偏光片２０と大体同じであるが、この第２の実施形態と前記第１の実施形態とは次の点で異なる。反射偏光片３０の各集光構成３０６の頂点角度βは鈍角であり、それは略１２０度である。
【００１８】
図６は、本発明液晶表示装置の第３の実施形態の反射偏光片の一部構成を示す拡大図である。本実施形態の反射偏光片４０は前記第１の実施形態の反射偏光片２０と大体同じであるが、この第３の実施形態と前記第１の実施形態とは次の点で異なる。反射偏光片４０の集光構成４０６は円弧形の断面を持ち、光出射輝度を高くすると同時に光出射視角をも大きくし、これにより、光出射角度の範囲内において輝度が滑らかに変化することができる。
【００１９】
図７は、本発明液晶表示装置の第４の実施形態の反射偏光片の構成の局部の断面図である。本実施形態の反射偏光片５０は前記第１の実施形態の反射偏光片２０と大体同じであるが、この第４の実施形態と前記第１の実施形態とは次の点で異なる。前記反射偏光片５０の光入射面５０２は散乱面である。本実施形態において、反射偏光片５０の表面を多くの散射粒子で覆うことによって粗い光入射面５０２を達成する。
【００２０】
前記の実施形態は次の通り変形することができる。
【００２１】
導光板の光入射面は散乱面でもよい。バックライトモジュールの出射光の均一度をさらに増加させることができる。
【図面の簡単な説明】
【００２２】
【図１】従来のバックライトモジュールの構成を示す分解図である。
【図２】図１に示すバックライトモジュールの反射偏光片の局部の断面図である。
【図３】本発明の第１の実施形態の液晶表示装置の構成を示す図である。
【図４】図３に示す液晶表示装置の反射偏光片の局部の断面図である。
【図５】本発明液晶表示装置の第２の実施形態の反射偏光片の一部構成を示す拡大図である。
【図６】本発明液晶表示装置の第３の実施形態の反射偏光片の一部構成を示す拡大図である。
【図７】本発明液晶表示装置の第４の実施形態の反射偏光片の局部の断面図である。
【符号の説明】
【００２３】
１  液晶表示装置
２  バックライトモジュール
１０  液晶表示面板
２３  拡散シート
２４  導光板
２８  光源
２６  反射板
２４６  底面
２０、３０、４０、５０  反射偏光片
２０６、３０６、４０６  集光構成
２４４、２０４  光出射面
２４２、２０２、５０２  光入射面
【図１】
2007164189.tif 000003
【図２】
2007164189.tif 000004
【図３】
2007164189.tif 000005
【図４】
2007164189.tif 000006
【図５】
2007164189.tif 000007
【図６】
2007164189.tif 000008
【図７】
2007164189.tif 000009